(57)【要約】【課題】操作者が確認したい複数の番組内容の比較が容易な番組表を表示する番組表表示装置を提供する。【解決手段】複数の各番組データをストアするＲＡＭ３７から、各番組データを読出して、入力手段２８に応じて、表形式で表示される各番組内容の表示位置の順序を変更するように表示手段を制御する制御手段３５を備え、操作者の好みに応じた表示順序で番組内容を表示することができ、利便性を向上することができる。たとえば操作者が確認したい放送局の番組の番組内容を表示画面の見やすい位置に配置することができ、またたとえば見比べたい２つの番組内容を隣り合うように表示することができる。また画面をスクロール表示する必要がなく、操作者が内容を確認したい複数の番組内容を一画面に表示することができる。【選択図】　　　図１
2004023636.tif 000002
【特許請求の範囲】
【請求項１】
放送局から放送される番組の番組内容と、その番組が放送される時間帯とを含む複数の各番組データをストアするメモリと、
２次元表示画面を有し、第１方向およびその第１方向に交差する第２方向に並んで配列される表形式で複数の各番組内容を表示する表示手段と、
操作者からの指令を指令信号として出力する入力手段と
入力手段の指令信号に応答して、メモリにストアされる各番組データを読出して、表形式で表示される各番組内容の表示位置の順序を変更するように表示手段を制御する順序変更手段とを備えることを特徴とする番組表表示装置。
【請求項２】
番組データを含む信号がデジタル放送される場合、
デジタル放送を受信する受信手段をさらに備え、
前記メモリは、受信手段によって受信された番組データをストアすることを特徴とする請求項１記載の番組表表示装置。
【請求項３】
前記表形式は、放送される各番組の番組内容を表示する表示位置が、放送局ごとに前記第１方向に隣接するとともに時間帯ごとに前記第２方向に隣接してそれぞれ配列され、
前記順序変更手段は、入力手段の指令信号に応答して、前記第２方向に隣接して配列される各表示位置の順序を変更するように表示手段を制御することを特徴とする請求項１または２記載の番組表表示装置。
【請求項４】
前記表形式は、放送される各番組の番組内容を表示する表示位置が、放送局ごとに前記第１方向に隣接するとともに同一の放送局における時間帯ごとに前記第２方向に隣接してそれぞれ配列され、
前記順序変更手段は、入力手段の指令信号に応答して、表示位置を放送局ごとに前記第１方向に沿う順序を変更するように表示手段を制御することを特徴とする請求項１〜３のいずれかに記載の番組表表示装置。
【請求項５】
前記表形式は、放送される各番組の番組内容を表示する表示位置が、放送局ごとに前記第１方向に隣接するとともに時間帯ごとに前記第２方向に隣接してそれぞれ配列され、
前記順序変更手段は、入力手段の指令信号に応答して、前記第１方向に隣接して配列される各表示位置の順序を変更するように表示手段を制御することを特徴とする請求項１〜４のいずれかに記載の番組表表示装置。
【請求項６】
入力手段の指令信号に応答して、複数の番組のうちから少なくとも１つの番組の番組内容を複写する番組複写手段をさらに備え、
前記順序変更手段は、番組複写手段によって複写される番組の番組内容を表示する複写表示位置を前記表示位置とは別に設定し、表示位置と複写表示位置を隣接して表示するように表示手段を制御することを特徴とする請求項１〜５のいずれかに記載の番組表表示装置。
【請求項７】
複数の番組のうちから少なくとも１つの番組が選択された場合、
メモリにストアされる番組データに基づいて、選択された番組が放送される放送時刻を検索する放送時刻検索手段と、
放送時刻検索手段によって検索された放送時刻に到達したときに、選択された番組が放送される時刻に到達したこと示す時刻到達信号を出力する時刻到達信号出力手段とをさらに備えることを特徴とする請求項１〜６のいずれかに記載の番組表表示装置。
【請求項８】
前記時刻到達信号出力手段から出力される時刻到達信号に応答し、選択された番組の映像または音声の少なくとも一方を再生可能に記録する記録手段をさらに備えることを特徴とする請求項７記載の番組表表示装置。
【請求項９】
前記順序変更手段は、選択される番組の番組内容を表示する追加表示位置を前記表示位置とは別に設定し、表示位置と追加表示位置を隣接して表示するように表示手段を制御し、
時刻到達信号出力手段は、選択される番組が放送される時刻に到達したことを示す時刻到達信号を出力することを特徴とする請求項７または８記載の番組表表示装置。
【請求項１０】
前記順序変更手段は、番組内容を表形式で表示した場合、選択される番組の番組内容を表示する表示領域を、選択されていない番組の番組内容を表示する表示領域とは異なる表示態様で表示するように表示手段を制御することを特徴とする請求項７〜９のいずれかに記載の番組表表示装置。
【請求項１１】
選択された番組のうち、番組内容が同一または類似である複数の番組で、かつ放送時間帯が隔日ごとに同一または類似である複数の番組が選択された選択回数を計数するカウント手段と、
前記選択回数が予め定める値以上であるとき、放送される同一または類似である番組を推定して選択する選択手段とをさらに備えることを特徴とする請求項７〜１０のいずれかに記載の番組表表示装置。
【請求項１２】
前記順序変更手段は、番組内容を表形式で表示した場合、推定して選択した番組の番組内容を表示する表示領域を、推定せずに選択した番組の番組内容を表示する表示領域とは異なる表示態様で表示するように表示手段を制御することを特徴とする請求項７〜１１のいずれかに記載の番組表表示装置。
【発明の詳細な説明】
【０００１】
【発明の属する技術分野】
本発明は、たとえばデジタル放送を受信し、受信したデジタル放送に含まれる電子番組案内（Ｅｌｅｃｔｒｏｎｉｃ　Ｐｒｏｇｒａｍ　Ｇｕｉｄｅ、略称　ＥＰＧ）情報を表示する際に好適に用いられる番組表表示装置に関する。
【０００２】
【従来の技術】
アナログ信号によって映像情報および音声情報などを放送するアナログ放送に比べて、高品質な映像および音声を放送可能でかつ、多機能な放送が可能なデジタル放送が普及しつつある。デジタル放送は、放送衛星を用いるＢＳデジタル放送が２０００年に開始されたことに続いて、地上アンテナを用いた地上波デジタル放送が２００３年に開始される予定である。
【０００３】
図２１は、デジタル放送される放送波を示す図である。デジタル放送される放送波１には、放送される番組を表す番組信号が多重化されて放送される。また１つの放送波１には、各番組の音声および動画映像を送る音声画像データ２のほかに、電子番号案内情報を表示するための番組データ３とが放送される。
【０００４】
図２２は、各番組データ３に含まれるデータ構造を示す図である。各番組データ３は、番組が放送される放送時間帯４と、番組が放送される放送局５と、番組内容６とが示される。従来の番組表表示装置は、複数の番組データに含まれる放送時間帯４、放送局５および番組内容６を読出して、放送される番組の番組表を表示する。
【０００５】
図２３は、従来の番組表表示装置によって表示される番組表７を示す図である。番組表７は、各番組の番組内容６ａａ〜６ｃｃが表示され、それぞれの番組内容６ａａ〜６ｃｃは第１方向８および第１方向８に交差する第２方向９に順に並ぶ。番組内容６ａａ〜６ｃｃは、放送局５Ａ〜５Ｃごとに第１方向８に隣接して配列され、同じ放送局から放送される番組の番組内容が時間順次的に第２方向９に隣接して配列される。たとえば同一のＡ放送局５Ａから放送される各番組の番組内容６ａａ，６ｂａ，６ｃａは、放送時刻４Ａ〜４Ｃが早い順に第２方向９に一列に並び、同一の時間帯４Ａで放送される各放送局の番組内容６ａａ，６ａｂ，６ａｃは、予め定められる放送局５Ａ，５Ｂ，５Ｃ順に第１方向８に一列に並ぶ。
【０００６】
【発明が解決しようとする課題】
デジタル放送は、１つの放送波に複数の番組が多重化して放送され、従来のアナログ放送に比べてより多くの放送局から放送が放送される。これによって視聴者が視聴可能な番組数が増加し、視聴可能なすべての番組を番組表として、一画面に表示することができない場合がある。
【０００７】
従来の番組表表示装置は、番組内容を予め定められた表示順に表示し、表示画像をスクロール表示させることによって、各放送局から放送される番組を表示している。したがって操作者は、異なる２つの番組の番組内容を比較するとき、その２つの番組の番組内容が表示されるそれぞれの表示位置が離れている場合、一画面で見比べることができないという問題がある。この場合、操作者は、比較したい２つのうち一方の番組の番組内容を覚えて、表示画像をスクロール表示して、比較したい２つのうちの他方の番組の番組内容と比較する必要があり、容易に２つの番組の内容を見比べることができないという問題がある。
【０００８】
また番組内容が表示画面に表示されていない場合は、番組内容を確認するために、毎回スクロール表示させる必要があり、容易に番組内容を確認することができないという問題がある。
【０００９】
また上述する従来の番組表表示装置とは異なる他の技術の番組表表示装置が、特開２０００−１６５１９号公報に開示されている。この番組表表示装置は、時間帯選択画面から選択された時間帯の番組をリストして表示する。また特開２００１−８１１９号公報に開示されている番組表表示装置は、複数の情報提供システムの番組データを統合した番組表を表示する。また特開２０００−３３３０８５号公報に開示されている番組表表示装置は、予め定められる優先順位にしたがって、最も優先度の高い番組を時間帯ごとに並べた番組表を表示する。
【００１０】
操作者は、視聴したい番組および選択したい番組を予め定めていない場合、複数の番組の番組内容を比較したうえで番組を決定する。上述する各公報に開示される番組表表示装置では、選択した番組の番組内容を一列に並べて示す番組表を表示するので、番組内容は、各番組内容が時間帯ごとおよび放送局ごとに並んで表示されていない。したがって表示される番組表を操作者が見ても、各番組の内容を放送局ごとまたは時間帯ごとに比較することができないという問題がある。また比較したい２つの番組内容を隣り合うように表示順序を並び換えることができないという問題がある。
【００１１】
したがって本発明の目的は、操作者が確認したい複数の番組内容の比較が容易な番組表を表示する番組表表示装置を提供することである。
【００１２】
【課題を解決するための手段】
本発明は、放送局から放送される番組の番組内容と、その番組が放送される時間帯とを含む複数の各番組データをストアするメモリと、
２次元表示画面を有し、第１方向およびその第１方向に交差する第２方向に並んで配列される表形式で複数の各番組内容を表示する表示手段と、
操作者からの指令を指令信号として出力する入力手段と
入力手段の指令信号に応答して、メモリにストアされる各番組データを読出して、表形式で表示される各番組内容の表示位置の順序を変更するように表示手段を制御する順序変更手段とを備えることを特徴とする番組表表示装置である。
【００１３】
本発明に従えば、番組データがメモリにストアされると、各番組データが示す番組の番組内容とその番組が放送される時間帯とに基づいて、各番組の番組内容を第１方向および第２方向に並べて表示画面に表示する。また入力手段が出力する指令信号に応じて、表形式で表示される番組内容の表示位置の順序を変更する。これによって、操作者の好みに応じた表示順序で番組内容を表示することができ、利便性を向上することができる。たとえば操作者が確認したい放送局の番組の番組内容を表示画面の見やすい位置に配置することができる。またたとえば見比べたい２つの番組内容を隣り合うように一画面に表示することができる。
【００１４】
また本発明は、番組データを含む信号がデジタル放送される場合、
デジタル放送を受信する受信手段をさらに備え、
前記メモリは、受信手段によって受信された番組データをストアすることを特徴とする。
【００１５】
本発明に従えば、受信手段によってデジタル放送を受信し、受信した番組データをメモリにストアし、表示手段がメモリにストアした番組データに基づいて、表形式で番組内容を表示する。デジタル放送に含まれる番組データは、随時新しい番組データに更新される。したがって予め番組データが記憶された記憶媒体から番組データを読取る場合に比べて、最新の番組データをメモリにストアすることができる。また操作者が、番組データが記憶される記憶媒体を入手する必要がなく、番組データのメモリへのストアを容易に行うことができる。
【００１６】
また本発明は、前記表形式は、放送される各番組の番組内容を表示する表示位置が、放送局ごとに前記第１方向に隣接するとともに時間帯ごとに前記第２方向に隣接してそれぞれ配列され、
前記順序変更手段は、入力手段の指令信号に応答して、前記第２方向に隣接して配列される各表示位置の順序を変更するように表示手段を制御することを特徴とする。
【００１７】
本発明に従えば、順序変更手段によって、表形式で表示される番組内容が前記第２方向に配列される順序を変更する。これによって時間帯ごとに並んで表示される番組内容の順序を変更することができ、利便性を向上することができる。たとえば操作者が視聴したい時間帯の番組の番組内容を表示画面の見やすい位置にまとめて表示することができる。たとえば時間帯ごとに表示される番組内容の順序は、放送局ごとに個別に変更してもよく、また複数放送局をまとめて変更してもよい。
【００１８】
また本発明は、前記表形式は、放送される各番組の番組内容を表示する表示位置が、放送局ごとに前記第１方向に隣接するとともに同一の放送局における時間帯ごとに前記第２方向に隣接してそれぞれ配列され、
前記順序変更手段は、入力手段の指令信号に応答して、表示位置を放送局ごとに前記第１方向に沿う順序を変更するように表示手段を制御することを特徴とする。
【００１９】
本発明に従えば、順序変更手段によって、表形式で表示される番組内容が放送局ごとに前記第１方向に沿って配列される順序を変更する。これによって同じ放送局から放送される番組の番組内容を、放送局ごと第１方向に沿って順序を変更することができ、利便性を向上することができる。たとえば操作者が視聴したい放送局の番組内容を表示画面の見やすい位置にまとめて表示することができる。また操作者が見比べたい２つの放送局の番組内容を隣り合わせて表示することができる。
【００２０】
また本発明は、前記表形式は、放送される各番組の番組内容を表示する表示位置が、放送局ごとに前記第１方向に隣接するとともに時間帯ごとに前記第２方向に隣接してそれぞれ配列され、
前記順序変更手段は、入力手段の指令信号に応答して、前記第１方向に隣接して配列される各表示位置の順序を変更するように表示手段を制御することを特徴とする。
【００２１】
本発明に従えば、順序変更手段によって、表形式で表示される番組内容が前記第１方向に隣接して配列される順序を変更する。これによって放送局ごとに並んで表示される番組内容の順序を変更することができ、利便性を向上することができる。たとえば操作者が視聴したい時間帯での番組内容を、放送される放送局にかかわらず一列に並べて表示することができる。放送局ごとに表示される番組内容の順序は、時間帯ごとに個別に変更してもよく、また複数時間帯をまとめて変更してもよい。
【００２２】
また本発明は、入力手段の指令信号に応答して、複数の番組のうちから少なくとも１つの番組の番組内容を複写する番組複写手段をさらに備え、
前記順序変更手段は、番組複写手段によって複写される番組の番組内容を表示する複写表示位置を前記表示位置とは別に設定し、表示位置と複写表示位置を隣接して表示するように表示手段を制御することを特徴とする。
【００２３】
本発明に従えば、番組複写手段によって複写した番組内容を、表示位置とは別の位置に設定される複写表示位置に表示する。これによって複写した番組内容と表形式で表示される各番組内容とを並べて一画面に表示することができ、利便性を向上することができる。たとえば操作者は、複写した番組内容と他の番組内容とを一画面で見比べることができ、操作者が確認したい２つの番組の番組内容を同時に表示することができる。
【００２４】
また本発明は、複数の番組のうちから少なくとも１つの番組が選択された場合、
メモリにストアされる番組データに基づいて、選択された番組が放送される放送時刻を検索する放送時刻検索手段と、
放送時刻検索手段によって検索された放送時刻に到達したときに、選択された番組が放送される時刻に到達したこと示す時刻到達信号を出力する時刻到達信号出力手段とをさらに備えることを特徴とする。
【００２５】
本発明に従えば、選択された番組の放送時刻を検索し、放送時刻に到達したときに選択された番組の放送時刻に達したことを示す時刻到達信号を出力する。時刻到達信号を番組記録のための信号または番組表示のための信号とすることによって、選択される番組を予約することができる。
【００２６】
また表形式で番組内容を表示した状態で、操作者の番組選択操作が行われることによって、操作者に各番組内容を確認させながら番組選択させることができる。また操作者の好みに合わせて表形式を表示することができ、また操作者が確認したい番組内容を一画面に表示することによって、番組選択操作を容易にさせることができる。
【００２７】
また本発明は、前記時刻到達信号出力手段から出力される時刻到達信号に応答し、選択された番組の映像または音声の少なくとも一方を再生可能に記録する記録手段をさらに備えることを特徴とする。
【００２８】
本発明に従えば、記録手段によって、時刻到達信号に応答して選択された番組の映像または音声の少なくとも一方を再生可能に記憶する。操作者は、表示画面を確認しながら記録を所望する番組を確認することができ、選択する番組を設定することができる。このとき表形式を上述のように操作者の好みに合わせて、選択したい番組内容を一画面に表示することができるので、記録を所望する番組選択操作を容易にさせることができる。
【００２９】
また本発明は、前記順序変更手段は、選択される番組の番組内容を表示する追加表示位置を前記表示位置とは別に設定し、表示位置と追加表示位置を隣接して表示するように表示手段を制御し、
時刻到達信号出力手段は、選択される番組が放送される時刻に到達したことを示す時刻到達信号を出力することを特徴とする。
【００３０】
本発明に従えば、選択される番組の番組内容を、前記表示位置とは別に設定して追加表示位置として表示することによって、選択された番組の番組内容を追加して表示画面に表示することができ、利便性を向上することができる。選択されている番組の番組内容とその他の番組内容を一画面に表示することができるので、選択されている番組の放送時間帯における他の番組の番組内容などを放送局毎に表示させることができる。
【００３１】
また本発明は、前記順序変更手段は、番組内容を表形式で表示した場合、選択される番組の番組内容を表示する表示領域を、選択されていない番組の番組内容を表示する表示領域とは異なる表示態様で表示するように表示手段を制御することを特徴とする。
【００３２】
本発明に従えば、選択される番組の表示内容を表示する表示領域と、選択されていない番組の番組内容を表示する表示領域とは、異なる表示態様で表示する。これによって表形式に表示される複数の番組内容のうち、選択されている番組とそうでない番組とを区別させることができ、既に選択されている番組を操作者に確実に理解させることができる。異なる表示態様とは、たとえば番組内容が表示される領域の表示色、文字書体などが異なっていてもよい。また選択されている番組内容が表示される表示領域に、選択されていることを示す記号を付加して表示してもよい。
【００３３】
また本発明は、選択された番組のうち、番組内容が同一または類似である複数の番組で、かつ放送時間帯が隔日ごとに同一または類似である複数の番組が選択された選択回数を計数するカウント手段と、
前記選択回数が予め定める値以上であるとき、放送される同一または類似である番組を推定して選択する選択手段とをさらに備えることを特徴とする。
【００３４】
本発明に従えば、選択された番組のうち、番組内容が同一または類似である複数の番組で、かつ放送時間が隔日ごとに同一または類似である複数の番組が予め定められる回数以上選択されると、次に選択されるであろう次の同一または類似である番組を推定して選択する。これによって連続ドラマなどの毎週連続して放送される番組を、操作者の選択操作を必要とせずに選択することができる。たとえば番組表表示装置は、推定した番組を記録してもよい。また同一の番組内容とは、たとえば番組のタイトルが同じ場合であり、類似の番組内容とは、たとえば放送される番組内容が類似である場合である。
【００３５】
また本発明は、前記順序変更手段は、番組内容を表形式で表示した場合、推定して選択した番組の番組内容を表示する表示領域を、推定せずに選択した番組の番組内容を表示する表示領域とは異なる表示態様で表示するように表示手段を制御することを特徴とする。
【００３６】
本発明に従えば、推定して選択した番組の番組内容を表示する表示領域と推定せずに選択した番組の表示領域とを異なる表示態様で表示することによって、操作者が選択した番組であるか、番組表表示装置が推定して選択した番組であるかを表示画面に表示させることができる。
【００３７】
【発明の実施の形態】
図１は、本発明の実施の一形態である番組表表示装置２０を示すブロック図である。番組表表示装置２０は、デジタル放送を受信し、デジタル放送に含まれる番組データを抽出し、抽出した番組データからデジタル放送される番組の番組内容を番組表として表示する。また番組表示装置２０は、番組表として表示される各番組内容の表示順序を変更可能に表示する。
【００３８】
番組データは、番組が放送される放送時間帯と、番組が放送される放送局と、番組の番組内容とが示されている。また番組内容は、番組のタイトル、カテゴリ、出演者およびあらすじなどの情報を含む。また番組表は、複数の番組内容が第１方向および第１方向と交差する第２方向にそれぞれ隣接して配列される表形式である。
【００３９】
番組表表示装置２０は、たとえばデジタル放送用テレビジョン受信機を構成し、デジタル放送用テレビジョン受信機は、デジタル放送される各番組の映像データおよび音声データをそれぞれ抽出し、抽出した映像データおよび音声データによって、映像と音声を同期させて、番組の映像を表示するとともに番組の音声を放音する。
【００４０】
番組表表示装置２０は、放送衛星および地上アンテナから送信されるデジタル放送波を捕捉するアンテナ２１と、２次元表示画面を有し画像を表示する表示手段であるディスプレイ２３と、スピーカ２４と、デジタル放送波から複数の番組データを抽出して、番組表をディスプレイ２３に表示させる表示制御装置２２と、操作者の指令を表示制御装置２２に伝えるためのスイッチ２５ａ，２５ｂとを有する。スイッチ２５ａ，２５ｂは、ディスプレイ２３に近接した位置に配置されるディスプレイスイッチ２５ａと、表示制御装置２２に対して無線通信可能なリモートコントローラ、いわゆるリモコンに設けられるリモコンスイッチ２５ｂとを含む。
【００４１】
表示制御装置２２は、番組データを受信する受信手段２６と、ディスプレイ２３に番組表を表示させるようにディスプレイ２３を制御する制御手段２７と、入力手段２８とを備える。入力手段２８は、操作者による各スイッチ２５ａ，２５ｂの操作に応じた指令信号を出力し、指令信号を制御手段２７に与える。
【００４２】
受信手段２６は、アンテナ２１が捕捉した複数のデジタル放送波から１つのチャネルのデジタル放送波を選択して受信するチューナ２９と、選択したチャネルのデジタル放送波を復調する復調部３０と、復調部３０が復調した信号から番組データを含む信号を抽出するトランスポートストリーム（Ｔｒａｎｓｐｏｒｔ　Ｓｔｒｅａｍ、略称　ＴＳ）デコード３１と、番組データを含む信号から番組データを生成する番組データデコード４２とを有する。
【００４３】
さらに受信手段２６は、デジタル放送される番組の映像および音声を表示および放音するために、番組信号から音声データを生成する音声デコード３２と、番組信号から画像データを生成する映像デコード３３とを有する。
【００４４】
制御手段２７は、ディスプレイ２３の表示に関する制御を行う中央演算装置３５（Ｃｅｎｔｒａｌ　Ｐｒｏｃｅｓｓｉｎｇ　Ｕｎｉｔ、略称　ＣＰＵ）と、ディスプレイ２３の表示に関する表示プログラムが予め記憶される読出し専用メモリ３６（Ｒｅａｄ　Ｏｎｌｙ
Ｍｅｍｏｒｙ、略称　ＲＯＭ）と、ＣＰＵ３５の演算結果を書込むとともに書込んだ演算結果を読出すための随意読出し書込み可能メモリ３７（Ｒａｎｄｏｍ　Ａｃｃｅｓｓ
Ｍｅｍｏｒｙ、略称　ＲＡＭ）と、ＣＰＵ３５から出力される表示に関する信号を受けてディスプレイ２３を制御する提示処理部３４とを有する。ＲＡＭ３７は、複数の番組データと、番組内容を表示する順序を示す表示順序データとを記憶する。
【００４５】
提示処理部３４には、ディスプレイ２３に表示するための一画面分の画像データを記憶する表示用ＶＲＡＭ３８（Ｖｉｄｅｏ　Ｒａｎｄｏｍ　Ａｃｃｅｓｓ　Ｍｅｍｏｒｙ、略称　ＶＲＡＭ）と、表示順序データに従ってすべての番組内容を表形式で表示した場合の画像データを示す展開処理用画像データを記憶する展開処理用ＶＲＡＭ５６とが設けられる。提示処理部３４は、表示用ＶＲＡＭ３８から画像データを読出して、一画面分の画像をディスプレイ２３に表示させる。
【００４６】
各スイッチ２５ａ，２５ｂは、入力手段２８に接続される。入力手段２８は、操作者の指示を制御手段２７に伝えるインターフェースであって、操作者によって各スイッチ２５ａ，２５ｂが操作されたときに、操作者の指令に応じた指令信号を出力し、出力した指令信号を制御手段２７に与える。
【００４７】
表示制御装置２２は、さらに電話通信回線に接続するための通信用モデム３９を有し、インターネットなどの電話通信回線に接続されるネットワークにアクセスすることができる。また表示制御装置２２は、ハードディスクなどによって実現され、受信した画像データおよび音声データを記録する記録手段４１とをさらに有する。
【００４８】
操作者がスイッチ２５ａ，２５ｂを操作して番組表の表示を指令すると、入力手段２８は、番組表の表示を指令する番組表表示指令信号を出力し、番組表表示指令信号を制御手段２７に与える。番組表表示指令信号を受けた制御手段２７は、番組データを生成するように受信手段２６に番組表表示指令信号を与える。
【００４９】
受信手段２７のＴＳデコード３１は、復調部３０によって復調される信号から番組データを含む信号を抽出し、番組データを含む信号を番組データデコードに与える。番組データデコードは番組データを含む信号から番組データを生成する。ＲＡＭ３７は、番組データデコードによって生成された複数の番組データが加工されることなく記憶する。
【００５０】
ＣＰＵ３５は、ＲＡＭ３７から複数の番組データおよび表示順序データを読出す。ＣＰＵ３５は、表示順序データに従って、各番組内容の表示位置を決定して、番組内容を表形式で示す展開処理用画像データを作成し、作成した展開処理用画像データを展開処理用ＶＲＡＭ５６に記憶させる。
【００５１】
提示処理部３４は、展開処理用ＶＲＡＭ５６に記憶される展開処理用画像データを読取り、展開処理用画像データのうちディスプレイ一画面分の画像データを表示用ＶＲＡＭ３８に書込み、一画面分の番組表をディスプレイ２３に表示させる。
【００５２】
また操作者が番組内容の表示順序を変更するようにスイッチ２５ａ，２５ｂを操作することによって、入力手段２８が表示順序を変更する指令信号を出力し、制御手段２７に与える。制御手段２７のＣＰＵ３５は、ＲＡＭ３７に記憶される表示順序データを更新して、展開処理用ＶＲＡＭ５６の展開処理用画像データを書き換える。
【００５３】
また番組表表示装置２０は、テレビジョン受信機として、放送される番組を受信して番組の画像を表示するとともに音声を放音する。具体的には、操作者がスイッチ２５ａ，２５ｂを操作して番組の表示を指令すると、入力手段２８は、放送される番組の表示を指令する番組表示指令信号を出力し、番組表示指令信号を制御手段２７に与える。番組表示指令信号を受けた制御手段２７は、画像データおよび音声データを生成するように受信手段２６に番組表示指令信号を与える。
【００５４】
受信手段２６のチューナ２９は、アンテナ２１が補足した放送波のうちから表示すべき番組が含まれるデジタル放送波を受信し、受信したデジタル放送波を復調部３０に与える。復調部３０は、チューナ２９から与えられたデジタル放送波を復調し、復調した信号をＴＳデコード３１に与える。ＴＳデコード３１は、表示すべき番組の番組信号を抽出し、番組信号を音声デコード３２および映像デコード３３に与える。映像デコードは番組信号から映像データを生成し、音声デコードは番組信号から音声デコードを生成する。
【００５５】
制御手段２７の提示処理部３４は、映像デコード３３によって生成された画像データおよび音声デコード３２によって生成された音声データを受け取る。提示処理部３４は、一画面分の画像データを表示用ＶＲＡＭ３８に記憶し、番組の画像と音声とが同期するように、画像をディスプレイ２３に表示させる。スピーカ２４は、音声デコード３２から音声データを受け取って音声を放音する。
【００５６】
図２は、ディスプレイ２３を示す正面図である。ディスプレイ２３は、各番組の番組内容を表形式で表示する。各番組の番組内容は、番組ごとに設けられる番組内容表示領域４４ａａ〜４４ｈｄにそれぞれ表示される。図２において、理解を容易にするために各番組内容表示領域４４ａａ〜４４ｈｄの添え字ａａ〜ｈｄを一部省略して示す場合がある。
【００５７】
ディスプレイ２３は、放送される放送局ごとに番組内容を主走査方向Ｈに隣接させて表示し、また放送される時間帯ごとに番組内容を副走査方向Ｖに隣接させて表示する。ディスプレイ２３は、放送される番組のカテゴリを、放送局ごとおよび時間帯ごとに並べて、各番組内容表示領域４４ａａ〜４４ｈｄにそれぞれ表示する。時間帯は、たとえば１時間ごとに区分される。
【００５８】
各番組内容表示領域４４ａａ〜４４ｈｄには、放送される番組のカテゴリ以外が表示されてもよく、放送される番組の番組名、番組のあらすじおよび出演者などのいずれの情報を表示してもよい。また各番組内容表示領域４４ａａ〜４４ｈｄに表示される番組の時間帯は、予め定められる時間帯であればよく、時間帯が３０分ごとに区分されてもよい。
【００５９】
またディスプレイ２３は、番組内容表示領域４４ａａ〜４４ｈｄのほかに、各番組が放送される時間帯を表示する時間帯表示領域４６Ａ〜４６Ｃと、各番組が放送される放送局を表示する放送局表示領域４５Ａ〜４５Ｄとを表示する。時間帯表示領域４６Ａ〜４６Ｃおよび放送局表示領域４５Ａ〜４５Ｄは、番組内容表示領域４４ａａ〜４４ｈｄの番組内容に対応した位置に配列される。
【００６０】
たとえば時間帯表示領域４６Ａ〜４６Ｃは、時間順次ごとに副走査方向Ｖに一列に隣接して表示され、放送局表示領域４５Ａ〜４５Ｄは、予め定められる順ごとに主走査方向Ｈに一行に隣接して表示される。
【００６１】
ＣＰＵ３５は、複数の番組の放送される時間帯、番組タイトル、および番組内容に応じて、番組内容表示領域４４ａａ〜４４ｈｄの主走査および副走査方向寸法を決定し、各番組内容表示領域４４ａａ〜４４ｈｄを同一寸法の矩形状に表示させる。また各番組内容表示領域４４ａａ〜４４ｈｄと放送局表示領域４５Ａ〜４５Ｄとの主走査方向寸法は、ともに同じ寸法Ｌ２に形成される。また各番組内容表示領域ａａ〜ｈｄと時間帯表示領域４６Ａ〜４６Ｃとの主走査方向寸法は、ともに同じ寸法Ｌ３に形成される。
【００６２】
ディスプレイ２３の表示画面４３の付近には、番組表の表示順序の変更操作を行うためのスイッチ２５ｂが設けられる。スイッチ２５ｂは、表示画面４３に表示されるカーソル４９を移動させるカーソル移動キー４８と、番組を決定する決定キー４７と、決定された番組の番組内容の表示順序を変更する順序変換キー５２とが設けられる。またさらに番組内容の順序変更パターンを指定する順序パターン選択キー５７と、選択した番組をタイマー録画するための予約キー１６２とを有する。順序パターン選択キー５７は、後述する番組内容の表示順序の変更パターンを指定するための各スイッチ５８〜６１から成る。
【００６３】
カーソル移動キー４８は、カーソル４９を副走査方向Ｖ一方に移動させる第１移動キー４８ａと、副走査方向Ｖ他方に移動させる第２移動キー４８ｂと、主走査方向Ｈ一方に移動させる第３移動キー４８ｃと、主走査方向Ｈ他方に移動させる第４移動キー４８ｄとを有する。
【００６４】
ディスプレイ２３は、各第１〜第４移動キー４８ａ〜４８ｄの操作に応じて、表形式で表示された番組内容表示領域４４ａａ〜４４ｈｄをカーソル４９が移動するように表示する。またディスプレイ２３は、カーソル４９が表示されている部分（図２において斜線領域５０で示す）の番組内容表示領域４４ｃｂの表示態様を変化させて表示する。
【００６５】
操作者は、カーソル移動キー４８によってカーソル４９を移動させ、カーソル４９によって、順序を変更したい番組内容が表示される番組内容表示領域を選択した状態で、決定キー４７を押圧することによって、順序を変更したい番組を決定する。入力手段２８は、カーソル４９の移動によって選択された番組を示す信号を出力し、選択された番組を示す信号をＣＰＵ３５に伝える。
【００６６】
また第１〜第４移動キー４８ａ〜４８ｄを操作しつづけることによって、カーソル４９が主走査方向Ｈおよび副走査方向Ｖに移動し、各移動キー４８ａ〜４８ｄに対応する方向に表示画像がスクロールして移動する。表示画像がスクロールすることによって、一画面では、表示できなかった番組内容を表示する。
【００６７】
図３は、時間帯ごとに並ぶ番組内容の表示順序を変更する手順を示す図であり、図３（１）〜図３（３）の順で動作が進む。また図４は、時間帯ごとに並ぶ番組内容の表示順序を変更する場合のＣＰＵ３５の動作を示すフローチャートである。時間帯ごとに並ぶ番組内容の表示順序を変更する場合、ＣＰＵ３５は、ＲＯＭ３５に記憶されるプログラムを実行することによって、副走査方向Ｖに並んで表示される番組内容の表示位置の順序を変更する順序変更手段となる。
【００６８】
ステップａ１では、展開処理用ＶＲＡＭ５６に記憶される表示順序に応じた表形式で、複数の番組内容を各番組表示領域４４ａａ〜４４ｃｃにそれぞれ表示するようにディスプレイ２３を制御する。たとえば図３（１）に示すように、ディスプレイ２３に、同じ時間帯に放送される放送局ごとの番組内容を主走査方向Ｈに隣接させ、同じ放送局から放送される各番組の番組内容を時間順次的に副走査方向Ｖに隣接させて表示させる。
【００６９】
次に操作者が、番組内容の時間帯ごとの順序を変更する順序パターン選択スイッチ５８を押圧することによって、入力手段２８は、副走査方向Ｖに番組内容の順序変更を行う指令信号を出力してＣＰＵ３５に与える。ＣＰＵ３５は、入力手段２８から信号が入力されると、ステップａ２に進み、番組内容の順序変更動作を開始する。
【００７０】
ステップａ２では、番組内容表示領域４４ａａ〜４４ｃｃごとにそれぞれ対応する時間帯表示領域４６ａａ〜４６ｃｃを表示させる。図３（２）に示すように、ＣＰＵ３５は、副走査方向Ｖに沿って延びる時間帯表示領域４６ａａ，４６ｂａ，４６ｃａ；４６ａｂ，４６ｂｂ，４６ｃｂ；４６ａｃ，４６ｂｃ，４６ｃｃを、それぞれ番組内容表示領域４４ａａ〜４４ｃｃに隣り合わせて表示するようにディスプレイ２３を制御する。ＣＰＵ３５は、各時間帯表示領域４６ａａ〜４６ｃｃに、隣り合う番組内容表示領域４４ａａ〜４４ｃｃに表示される番組内容の番組が放送される時間帯を表示する。このように番組ごとに時間帯表示領域４６ａａ〜４６ｃｃを追加するとステップａ３に進む。
【００７１】
ステップａ３では、操作者のスイッチ操作に基づく入力手段２８の出力信号に応じて、カーソル４９を移動させる。また操作者が選択する番組内容表示領域４４ｃｂにカーソル４９を移動させた後、決定キー４７が押圧されることによって、ＣＰＵ３５は、入力手段２８から選択した番組を示す信号を受け、操作者が選択した番組の番組内容を表示する番組内容表示領域４４ｃｂとそれに対応した時間帯表示領域４６ｃｂとを選択領域５１とし、その表示態様を変化させるようにディスプレイ２３を制御し、ステップａ４に進む。
【００７２】
ステップａ４では、操作者が順序変換キー５２を押圧した状態で、移動キー４８を操作する。ＣＰＵ３５は、入力手段２８の出力信号に応じて、表示順序データを更新し、選択領域５１に表示される番組内容および時間帯を表示する表示位置の順序を副走査方向Ｖに変更する。
【００７３】
たとえば操作者が、選択領域５１を選択後、カーソル４９を図３（２）の矢符Ｆ１で示す副走査方向Ｖに移動させるように移動キー４８を操作すると、選択領域５１に表示されていた番組内容および時間帯が、矢符Ｆ１方向にある番組内容表示領域および時間帯表示領域に表示される。このように表示順序を変更するとステップａ５に進む。
【００７４】
ステップａ５では、引き続き順序変更が行われるか否かを判定し、順序変更動作が行われると判断するとステップａ３に戻り、再び順序変更動作を行う。複数回順序変更動作が行われることによって、図３（３）に示すように主走査方向Ｈに並ぶ番組内容について、異なる時間帯で放送される番組の番組内容を表示させることができる。ステップａ５において、順序動作が完了するとステップａ６に進み、動作を終了する。
【００７５】
たとえばステップａ２において、各表示領域４４ａａ〜４４ｃｃ，４５Ａ〜４５Ｃ，４６Ａ〜４６Ｄの寸法を変更して表示してもよく、時間帯表示領域４６ａａ〜４６ｃｃの追加表示に応じて操作者が見やすい寸法に設定してもよい。たとえば時間帯表示領域４４ａａ〜４６ｃｃを追加して表示したとしても、一画面に表示可能な番組内容が少なくなることを防止するように、ステップａ２での番組内容表示領域４４ａａ〜４４ｃｃの主走査方向Ｈ寸法Ｌ５と時間帯表示領域４６Ａ〜４６Ｃの主走査方向Ｈ寸法Ｌ４との和（Ｌ４＋Ｌ５）を、ステップａ１の番組内容表示領域４４ａａ〜４４ｃｃの主走査方向寸法Ｌ２よりも小さくしてもよい。
【００７６】
またステップａ４において、番組内容の順序変更は、図３（３）に示すように、選択領域５１を含み、副走査方向Ｖに１列に並んで表示される表示領域４４ａｂ，４４ｂｂ，４４ｃｂ；４６ａｂ，４６ｂｂ，５６ｃｂに表示される各番組内容および各時間帯を、副走査方向Ｖにスライド移動させてもよい。また選択された選択領域５１に表示される番組内容および時間帯を抜き出して副走査方向Ｖに移動させてもよい。
【００７７】
図５は、放送局ごとに並ぶ番組内容の表示順序を変更する手順を示す図であり、図５（１）〜図５（３）の順で動作が進む。また図６は、放送局ごとに並ぶ番組内容の表示順序を変更する場合のＣＰＵ３５の動作を示すフローチャートである。放送局ごとに並ぶ番組内容の表示順序を変更する場合、ＣＰＵ３５は、ＲＯＭ３５に記憶されるプログラムを実行することによって、主走査方向Ｈに並んで表示される番組内容の表示位置の順序を変更する順序変更手段となる。以下、理解を容易にするために、各番組の番組内容が表示される各番組内容表示領域４４ａａ〜４４ｃｃの添え字を省略することがある。
【００７８】
ステップｂ１では、上述するステップａ１と同様に、ＣＰＵ３５の制御によって、図５（１）に示すように予め定められる表形式で、複数の番組内容を各番組表示領域４４にそれぞれ表示するようにディスプレイ２３を制御する。
【００７９】
次に操作者が、番組内容の放送局ごとの順序を変更する順序パターン選択スイッチ５９を押圧することによって、入力手段２８は、主走査方向Ｈに番組内容の順序変更を行う指令信号を出力してＣＰＵ３５に与える。ＣＰＵ３５は、入力手段２８から信号が入力されると、ステップｂ２に進み、番組内容の順序変更動作を開始する。
【００８０】
ステップｂ２では、放送局表示領域４５Ａ，４５Ｂ，４５Ｃを削除し、各番組内容表示領域に個別に放送局名を含めて表示させる。たとえば図５（２）に示すように、各番組内容表示領域４４をさらに２つに区画して、区画される一方の領域１４５に放送局名を表示し、区画される他方の表示領域１４４に番組内容を表示してもよい。表示が完了するとステップｂ３に進む。
【００８１】
ステップｂ３では、操作者のスイッチ操作に基づく入力手段２８の出力信号に応じて、カーソル４９を移動させる。また操作者が選択する番組内容表示領域にカーソル４９を移動させた後、決定キー４７が押圧されることによって、ＣＰＵ３５は、操作者が選択した番組内容表示領域を選択領域５３とし、その表示態様を変化させて、ステップｂ４に進む。
【００８２】
ステップｂ４では、操作者が順序変換キー５２を押圧した状態で、移動キー４８を操作する。ＣＰＵ３５は、入力手段２８の出力信号に応じて表示順序データを更新し、選択領域５３に表示される番組内容および放送局名を表示する表示位置の順序を主走査方向Ｈに変更する。
【００８３】
たとえば操作者が、選択領域５３を選択後、カーソル４９を図５（２）の矢符Ｆ２で示す主走査方向Ｈに移動させるように移動キーを操作すると、選択領域５３に表示されていた番組内容および放送局名が矢符Ｆ２方向にある番組内容表示領域に表示される。このように表示順序を変更するとステップｂ５に進む。
【００８４】
ステップｂ５では、引き続き順序変更が行われるか否かを判定し、順序変更動作が行われると判断するとステップｂ３に戻り、再び順序変更動作を行う。複数回順序変更動作が行われることによって、図５（３）に示すように副走査方向Ｖに並ぶ番組内容について、異なる放送局から放送される番組の番組内容を表示させることができる。ステップｂ５において、順序動作が完了するとステップｂ６に進み、動作を終了する。
【００８５】
たとえばステップｂ２において、各表示領域４４，４５Ａ〜４５Ｃ，４６Ａ〜４６Ｃの寸法をステップｂ２において変更してもよく、番組内容表示領域４４に表示される放送局名の追加に応じて、操作者が見やすい寸法に設定してもよい。具体的には、ステップｂ１に表示する番組内容表示領域の主走査および副走査寸法Ｌ２，Ｌ３のいずれかを大きくして、ステップｂ２に表示する組内容表示領域の主走査および副走査寸法Ｌ８，Ｌ９とすることで、番組内容表示領域に放送局名を表示させたとしても、番組内容を縮小することなく見やすくすることができる。
【００８６】
またステップｂ４において、番組内容の順序変更は、図５（３）に示すように、選択領域５３を含み、主走査方向Ｈに一行に並んで表示される番組内容表示領域に表示される各番組内容および放送局名を主走査方向Ｈにスライド移動させてもよい。また選択領域５３に表示される番組内容および放送局名を抜き出して主走査方向Ｈに移動させてもよい。
【００８７】
図７は、放送局の並ぶ順序を変更する手順を示す図であり、図７（１）〜図７（２）の順で動作が進む。また図８は、放送局の並ぶ順序を変更する場合のＣＰＵ３５の動作を示すフローチャートである。放送局の並ぶ順序を変更する場合、ＣＰＵ３５は、ＲＯＭ３６に記憶されるプログラムを実行することによって、放送局ごとに表示される番組内容を主走査方向Ｈに沿う順序を変更する順序変更手段となる。
【００８８】
ステップｃ１では、上述するステップａ１と同様に、ＣＰＵ３５の制御によって、図７（１）に示すように予め定められる表形式で、複数の番組内容を各番組表示領域４４にそれぞれ表示するようにディスプレイ２３を制御する。
【００８９】
次に操作者が、放送局の並ぶ順序を変更する順序パターン選択スイッチ６０を押圧することによって、入力手段２８は、放送局ごとに表示される番組内容の順序変更を行う指令信号を出力してＣＰＵ３５に与える。ＣＰＵ３５は、入力手段２８から信号が入力されると、ステップｃ２に進み、番組内容の順序変更動作を開始する。
【００９０】
ステップｃ２では、操作者のスイッチ操作に基づく入力手段２８の出力信号に応じて、カーソル４９を移動させる。また操作者が選択する番組内容表示領域にカーソル４９を移動させた後、決定キー４７が押圧されることによって、ＣＰＵ３５は、操作者が選択した番組内容表示領域を選択領域５４とし、その表示態様を変化させて、ステップｃ３に進む。たとえば複数の放送局ごとの番組内容表示領域をまとめて、選択領域５４としてもよい。
【００９１】
ステップｃ３では、操作者が順序変換キー５２を押圧した状態で、移動キー４８を操作する。ＣＰＵ３５は、入力手段２８の出力信号に応じて表示順序データを更新し、選択領域５４に表示される放送局ごとの番組内容を表示する表示位置の順序を主走査方向Ｈに変更する。
【００９２】
たとえば操作者が、選択領域５４を選択後、カーソル４９を図７（１）の矢符Ｆ３で示す主走査方向Ｈに移動させるように移動キーを操作すると、選択領域５４に表示されていた番組内容が矢符Ｆ３方向にある番組内容表示領域に表示される。このように表示順序を変更するとステップｃ４に進む。
【００９３】
ステップｃ４では、引き続き順序変更が行われるか否かを判定し、順序変更動作が行われると判断するとステップｃ２に戻り、再び順序変更動作を行う。順序動作が完了するとステップｃ５に進み、動作を終了する。
【００９４】
図９は、番組内容の放送局の並ぶ順を変更した状態で、さらに時間帯ごとに並ぶ順序を変更する手順を示す図である。ＣＰＵ３５は、図８に示すフローチャートに示す動作に従って、図９（１）に示すように放送局ごとに番組内容の表示順序を変更したあと、さらに図４に示すフローチャートに示す動作に従って、図９（２）に示すように各番組内容の表示順序を副走査方向Ｖに変更することができる。この動作の詳細は、図４および図９に示す動作の組み合わせによって達成することができ、詳細な説明を省略する。
【００９５】
図１０は、番組内容を複写して表形式に追加して表示する手順を示す図であり、図１０（１）〜図１０（３）の順で動作が進む。図１１は、番組内容を複写して表形式に追加して表示する場合のＣＰＵ３５の動作を示すフローチャートである。ＣＰＵ３５は、ＲＯＭ３６に記憶されるプログラムを実行することによって、番組内容を複写して表形式に追加して表示する番組複写手段となる。
【００９６】
ステップｄ１では、上述するステップと同様に、ＣＰＵ３５の制御によって、図１０（１）に示すように予め定められる表形式で、複数の番組内容を各番組表示領域４４にそれぞれ表示するようにディスプレイ２３を制御する。
【００９７】
次に操作者が番組内容を複写する順序パターン選択スイッチ６１を押圧することによって、入力手段２８は、番組内容を複写する指令信号を出力してＣＰＵ３５に与える。ＣＰＵ３５は、入力手段２８から信号が入力されると、ステップｄ２に進み、番組内容の複写動作を開始する。
【００９８】
ステップｄ２では、ＣＰＵ３５は、図６に示すステップｂ２と同様の動作を行い、各番組内容表示領域に放送局名を含めて表示し、表示が完了するとステップｄ３に進む。
【００９９】
ステップｄ３では、操作者のスイッチ操作に基づく入力手段２８の出力信号に応じて、カーソル４９を移動させる。また操作者が選択する番組内容表示領域にカーソル４９を移動させた後、決定キー４７が押圧されることによって、ＣＰＵ３５は、操作者が選択した番組内容表示領域を選択領域５６とし、その表示態様を変化させて、ステップｄ４に進む。
【０１００】
ステップｄ４では、操作者が、図１０（２）に示すように順序変換キー５２を押圧した状態で、移動キー４８を操作する。ＣＰＵ３５は、選択領域５６に表示される番組内容を表示するための複写表示位置を新しく表形式に追加し、複写表示位置に選択領域５６に表示される番組の番組内容を表示する。
【０１０１】
具体的には、選択された番組の番組内容を表示する複写番組内容表示領域５７を、ステップａ３で示される表形式の主走査方向一方側端部に追加し、複写番組内容表示領域５７に、選択領域５６に表示されている番組内容を表示する。複写表示が完了するとステップｄ５に進む。
【０１０２】
ステップｄ５では、引き続き番組内容を複写するか否かを判定し、番組複写動作が行われると判断するとステップｄ３に戻り、再び番組複写動作を行う。番組複写動作が完了するとステップｄ６に進み、動作を終了する。
【０１０３】
図１２は、番組表の順序を変更するＣＰＵ３５の動作を示すフローチャートである。ＣＰＵ３５は、操作者のスイッチ操作に応じた入力手段２８の出力信号に応じて、図３〜図１１に示す表示制御を行う。
【０１０４】
まずＣＰＵ３５は、ステップｅ１で番組表の順序変更が可能な状態に移行し、ステップｅ２に進み、番組表の順序を変更する動作を開始する。ステップｅ２では、入力手段２８からの出力信号が、時間帯ごとに並ぶ番組内容の表示順序を変更する指令であるか否かを判定し、時間帯の順序を変更する指令である場合には、ステップｅ３に進み、そうでない場合は、ステップｅ４に進む。ステップｅ３では、図４に示すステップａ１〜ａ６の動作が行われて、時間帯ごとに並ぶ順序を変更してステップｅ１２に進む。
【０１０５】
ステップｅ４では、入力手段２８からの出力信号が、放送局ごとに並ぶ番組内容の表示順序を変更する指令であるか否かを判定し、放送局ごとの順序を変更する指令である場合には、ステップｅ６に進み、そうでない場合は、ステップｅ５に進む。ステップｅ５では、図６に示すステップｂ１〜ｂ６の動作が行われて、放送局毎に並ぶ順序を変更してステップｅ１２に進む。
ステップｅ６では、入力手段２８からの出力信号が、放送局の並ぶ順序を変更する指令であるか否かを判定し、放送局の並ぶ順序を変更する指令である場合には、ステップｅ７に進み、そうでない場合は、ステップｅ８に進む。ステップｅ７では、図８に示すステップｃ１〜ｃ５の動作が行われて、放送局の並ぶ順序を変更してステップｅ１２に進む。
【０１０６】
ステップｅ８では、入力手段２８からの出力信号が、複写した番組を追加して表示する指令であるか否かを判定し、複写した番組を追加する指令である場合には、ステップｅ９に進み、そうでない場合は、ステップｅ１０に進む。ステップｅ９では、図１１に示すステップｄ１〜ｄ６の動作が行われて、複写した番組の番組内容を追加してステップｅ１２に進む。
【０１０７】
ステップｅ１０では、入力手段２８からの出力信号が、デフォルトすなわち予め定められる順序で番組内容が並ぶ番組表を表示しなおす指令であるか否かを判定し、デフォルト表示する指令である場合には、ステップｅ１１に進み、そうでない場合は、ステップｅ１２に進む。ステップｅ１１では、予め定められる順序で番組内容が並ぶ番組表を表示し、ステップｅ１２に進む。
【０１０８】
ステップｅ１２では、ＣＰＵ３５は、入力手段２８から表示設定を完了する信号が入力されたか否かを判定し、表示設定を完了する信号が入力されるとステップｅ１３に進む。また表示設定を完了する信号が入力されない場合は、表示設定を継続し、ステップｅ２に戻る。ステップｅ１３では、番組表の順序を変更する動作を終了する。
【０１０９】
図１３は、選択された番組を記憶するＣＰＵ３５の動作を示すフローチャートである。番組表表示装置２０は、番組内容の表示順序を変更した状態で、操作者が表示画面に基づいて、スイッチ２５ａ，２５ｂを操作することによって番組を選択、たとえば予約することができる。
【０１１０】
番組表表示装置２０は、操作者によって選択された番組が放送される時間帯に達すると、選択された番組が放送される時刻に達したことを示す時刻到達信号を出力する。この時刻到達信号を受信手段２６および制御手段２７および記録手段４１に与えることによって、操作者によって選択された番組を、放送時間帯に表示または録画することができる。ＣＰＵ３５は、ＲＯＭ３６に記憶されるプログラムを実行することによって、操作者が選択した番組が放送される時刻を検索する放送時刻検索手段となる。
【０１１１】
選択された番組をＣＰＵ３５が表示および録画する場合、ＣＰＵ３５は、選択された番組の情報を記憶する動作を行う。まずステップｆ１で、ＣＰＵ３５は、図１２に示す動作によって表示順序を変更した表形式で番組内容を表示し、番組を選択する動作が開始されることを示す信号が入力手段２８から与えられると、選択される番組の情報を記憶する動作を開始し、ステップｆ２に進む。
【０１１２】
ステップｆ２では、操作者が表示画面を確認して、選択したい番組の番組内容表示領域をカーソル４９によって選択すると、入力手段２８は、操作者によって選択された番組内容表示領域を示す信号をＣＰＵ３５に与える。ＣＰＵ３５は、入力手段２８に応答して、操作者が選択した番組内容表示領域の情報を受けるとステップｆ３に進む。
【０１１３】
ステップｆ３では、ＲＡＭ３６から表示順データを読出し、取得した番組内容表示領域の情報と表示順データとに基づいて、ＲＡＭ３７に記憶される番組データから操作者が選択した番組を検索する。操作者が選択した番組の検索が完了するとステップｆ４に進む。
【０１１４】
ステップｆ４では、操作者が選択した番組の放送局および時間帯を示す情報を取得し、操作者が選択した番組の放送局および時間帯をＲＡＭ３７に記憶し、ステップｆ５に進む。ステップｆ５では操作者が選択した番組に対応する番組データにフラグをセットし、ステップｆ６に進む。
【０１１５】
ステップｆ６では、入力手段２８からの出力信号を受けて、番組選択の設定が終了したか否かを判定し、引き続き番組の選択が行われる場合には、ステップｆ２に戻り、番組選択動作を行う。また番組選択の設定が終了した場合には、ステップｆ７に進む。ステップｆ７では、表示する表示画面を予め定められる表示順序で番組内容を表示しなおし、ステップｆ８に進む。ステップｆ８では、ＣＰＵ３５は、番組の選択動作を終了する。
【０１１６】
このように選択動作が完了すると、予め定められる表示順序で番組内容を表示しなおすので、番組を選択するために表示順序を無秩序に並べ替えたとしても、再び秩序ある表示順に戻り、番組内容の表示順序を元に戻す必要がない。たとえば予め定める表示順序として、たとえば図２に示すような、放送局ごとに主走査方向Ｈに並び、同一の放送局から放送され、その放送時間が時間順次的に副走査方向Ｖに並ぶ表示順序が設定される。
【０１１７】
図１４は、選択された番組を録画するＣＰＵ３５の動作を示すフローチャートである。ＣＰＵ３５は、ＲＯＭ３６に記憶されるプログラムを実行することによって、操作者が選択した番組が放送される時刻に到達したことを出力する時刻到達信号出力手段となる。ＣＰＵ３５は、図１３に示す選択された番組の記憶動作が行われた後、選択された番組を録画する動作を行う。
【０１１８】
まずステップｇ１で、ＣＰＵ３５は、選択された番組がＲＡＭ３７に記憶されている場合、ステップｇ２に進み、選択番組の録画動作を開始する。ステップｇ２では、現在の時刻を取得しステップｇ３に進む。
【０１１９】
ステップｇ３では、現在の時刻が、ＲＡＭ３７に記憶される選択番組の放送開始時刻であるかを検索し、ステップｇ４に進む。ステップｇ４では、現在の時刻が選択された番組の放送が開始される放送開始時刻であるか否かを判定し、現在の時刻が、選択された番組の放送される放送開始時刻である場合、操作者が選択した番組が放送される時刻に到達したことを示す時刻到達信号を受信手段２６に出力する。
【０１２０】
ＣＰＵ３５は、さらに選択された番組の画像データおよび音声データを生成するように受信手段２６に信号を与え、受信手段２６から生成された画像データおよび音声データを、いわゆるハードディスクなどによって実現される記録手段４１に再生可能に記憶させる。
【０１２１】
また選択された番組の放送が終了する放送終了時刻に到達すると、受信手段１６に受信を終了する指令信号を与えて、ステップｇ６に進む。ステップｇ６では、選択された番組を録画する動作を終了する。
【０１２２】
上述の動作は、選択された番組を録画する動作であるが、他の実施例として選択される番組が放送される時間に達すると、時刻到達信号に応答して、選択される番組を表示してもよい。また時刻到達信号に応答して、スピーカおよびディスプレイによって、選択される番組が放送される時刻に達したことを操作者に報知してもよい。
【０１２３】
図１５は、ＲＡＭ３７に選択番組が記憶されている状態で表示される表形式の一部を示す図である。ＲＡＭ３７に操作者が選択した選択番組が記憶される場合、ＣＰＵ３５は、選択番組の番組内容が表示される番組内容表示領域５８と選択番組以外の番組の番組内容が表示される番組表領域５９とを異なる表示態様、たとえば異なる表示色で表示させる。このように表示態様を変えて選択された番組とその他の番組とを区別して表示することによって、操作者に選択番組を短時間で把握させることができ、利便性を向上することができる。
【０１２４】
またＣＰＵ３５は、各番組の番組内容が表示される番組表に対して選択される番組の番組内容を表示する追加番組表示位置を別に設定し、各番組の番組内容が表示される追加番組内容表示領域６１を番組表に追加する。たとえば追加番組内容表示領域６１は２つに区画され、区画する一方の領域５９には、選択される番組の放送局が表示され、区画する他方の領域６０には、番組の内容が表示される。
【０１２５】
ＣＰＵ３５は、番組表示領域５９と追加番組表示領域６１とを隣接させて表示する。具体的には、主走査方向Ｈに並ぶ番組内容表示領域５９と追加番組内容表示領域６１とは、同じ時間帯に放送される番組の番組内容をそれぞれ表示する。これによって選択される番組の番組内容と、選択される番組が放送される時間帯の他の番組の番組内容が主走査方向Ｈに並ぶので、操作者は、２つの番組内容の比較を容易に行うことができる。
【０１２６】
図１６は、図１５に示す状態から表示画面をスクロール表示させた場合の表形式の一部を示す図であり、図１７は、展開処理用ＶＲＡＭ５６に記憶される画像データによって表わされる番組表を示す図である。図１７において、番組内容の表示を省略し、２点鎖線の斜線領域６２はスクロール表示する前にディスプレイ２３に表示される領域であり、図１７において実線の斜線領域６３ａ，６３ｂ，６３ｃ，６３ｄ，６３ｅはスクロール表示した後にディスプレイ２３に表示される領域である。
【０１２７】
番組表表示装置２０は、受信する放送局の数が多い場合、すべての時間帯および放送局の番組内容のうち一部を番組表として表示し、カーソル移動キー４８によって、カーソル４９が移動するとともに表示画面をスクロール表示させる。画像をスクロール表示させた場合、ＣＰＵ３５は、各番組内容表示領域５９が連続して主走査方向Ｈおよび副走査方向Ｖに並ぶスクロール領域６３ｄと、スクロール領域６３ｄを構成する各番組内容表示領域５９に対応する追加番組内容表示領域６３ｂと、各時間帯表示領域６３ｅと、各放送局表示領域６３ｃとを表示画面に表示する。各追加番組内容表示領域６３ｂおよび各時間帯表示領域６３ｅは、スクロール領域６３ｄに対して主走査方向Ｈに隣接する。また各放送局表示領域６３ｃは、スクロール領域６３ｄに対して副走査方向Ｖに隣接する。
【０１２８】
画像をスクロール表示した場合に、各追加番組内容表示領域６１Ｇ〜６１Ｎおよび各時間帯表示領域４６Ｇ〜４６Ｎは、スクロール領域６３ｄを構成する各番組内容表示領域５９Ｇ〜５９Ｎに対応した番組内容が表示される。たとえば、主走査方向Ｈに並ぶ各番組内容表示領域５９Ｇ〜５９Ｎおよび各追加番組内容表示領域６１Ｇ〜６１Ｎには、同一時間帯に放送される番組の番組内容がそれぞれ表示される。
【０１２９】
また各番組内容表示領域５９Ｇ〜５９Ｎに主走査方向Ｈに並ぶ各時間帯表示領域４６Ｇ〜４６Ｎは、番組内容表示領域５９Ｇ〜５９Ｎが表示する番組内容の番組が放送される時間帯が表示される。また番組内容表示領域５９Ｇ〜５９Ｎに副走査方向Ｖに並ぶ各放送表示領域４５Ｄ〜４５Ｇは、番組内容表示領域５９が表示する番組内容の番組が放送される放送局が表示される。
【０１３０】
具体的には、図１６に示すように、１６時に放送される番組の番組内容を表示する番組内容表示領域５９Ｈに対して、主走査方向Ｈに並ぶ追加番組内容表示領域６１Ｈには１６時に選択される番組の番組内容と放送局を表示し、主走査方向Ｈに並ぶ時間帯表示領域４６Ｈには１６時と表示する。またＥ放送で放送される番組の番組内容を表示する番組内容表示領域に対して、副走査方向Ｖに並ぶ放送局表示領域４５ＥにはＥ放送と表示する。
【０１３１】
これによって画像がスクロール表示された状態であっても、スクロール領域６３ｄを構成する各番組内容表示領域５９Ｇ〜５９Ｎに表示される各番組内容を表示するとともに、それに対応した選択した番組の番組内容を追加番組内容表示領域６３ｂに表示することができる。
【０１３２】
これによって操作者は、選択番組の番組内容を覚える必要がなく、スクロール表示領域６３ｄに表示される各番組の番組内容と、選択番組の番組内容とを比較することができる。また展開処理用ＶＲＡＭ５６に展開処理用画像データが記憶されているので、ＣＰＵ３５は、スクロール表示時に、番組データと表示順データとに基づいて、画像データを順次生成する必要がなく、円滑なスクロール表示を行うことができる。
【０１３３】
図１８は、選択履歴に基づいて、ＣＰＵ３５が選択番組を選択する動作を示すフローチャートである。番組表表示装置２０は、予め定められる期間内に選択された番組が放送される曜日および時間帯、番組名、番組内容をＲＡＭ３７に記憶し、連続ドラマなどの隔日ごとに放送される番組を複数選択される場合は、選択履歴に応じて、ＣＰＵ３５が、次に選択するであろう番組を推定し、その番組を選択する。
【０１３４】
ＣＰＵ３５は、ステップｈ１で、選択された番組がＲＡＭ３７に記憶されると、ステップｈ２に進み、選択履歴に基づいた番組選択動作を開始する。ステップｈ２では、ＣＰＵ３５がＲＡＭ３７から選択された番組を読出し、ステップｈ３に進む。ステップｈ３では、選択された番組のうち、同一または類似の番組があるか否かを判定する。たとえば２つの番組における番組のタイトルが同じ場合、２つの番組が同一であると判断し、２つの番組における番組内容が類似している場合は、選択された番組が類似の番組であると判断する。
【０１３５】
ＣＰＵ３５は、同一または類似の番組であると判断した番組が、隔日ごとに同一時間帯で放送されているか否かを調べる。ＣＰＵ３５は、同一または類似の番組であると判断した番組が同一時間帯で、選択された回数をカウントし、そのカウント回数が予め定められる回数以上である場合は、その番組が次回も選択する必要があると判断し、ステップｈ４に進み、そうでない場合は、ステップｈ６に進む。
【０１３６】
ステップｈ４では、ＣＰＵ３５は、次回も選択する必要があると判断した番組を選択して、ＲＡＭ３７に記憶し、ステップｈ５に進む。ステップｈ５では、次回も選択する必要があると判断した番組の番組内容を表示する番組内容表示領域の表示形態を変更させ、ステップｈ６に進む。ステップｈ６では、選択履歴に基づく番組選択動作を終了する。
【０１３７】
図１５にＣＰＵ３５が選択した番組を表示する番組表示領域６４を斜線で示す。ディスプレイ２３は、ＣＰＵ３５によって選択された番組の番組内容を表示する番組内容表示領域５８と、操作者の選択操作によって選択された番組の番組内容を表示する番組内容表示領域６４との表示態様を異なる表示態様で表示する。たとえば表示態様の変化は、番組内容表示領域の表示色を変えることによって達成される。これによって操作者が選択した番組かＣＰＵ３５が選択した番組かを、操作者は容易に判断することができる。
【０１３８】
図１９は、選択番組を集めた番組表を示す図である。番組表表示装置２０は、選択した番組を集めた番組表を作成するための選択番組表示キー（図示せず）をさらに有する。操作者は、選択番組表示キーを操作することによって、ＣＰＵ３５は、ＲＡＭ３７に記憶される選択番組を読出し、ディスプレイ２３を制御して選択番組を集めた番組表を表示画面に表示させる。
【０１３９】
選択番組を集めて表示することによって、操作者に選択番組の番組内容を短時間で把握させることができる。たとえば一画面に表示される番組内容を表示する番組の数が少なくなるので、選択される各番組の番組内容について、より詳しい情報を表示画面に表示することができる。
【０１４０】
本実施の形態では、ＣＰＵ３５がＲＯＭ３６に記憶されるプログラムを実行することによって、入力手段２８の指令信号に応答して、各番組内容の表示位置を変更するようにディスプレイ２３を制御する順序変更手段となり、また番組の番組内容を複写する番組複写手段となり、また番組を選択する番組選択手段となり、また選択された番組が放送される放送時間を検索する放送時刻検索手段となり、また選択された番組が放送される時間に達したことを示す時刻到達信号を出力する時刻到達信号出力手段となり、また選択された番組のうち、番組内容が同一または類似である複数の番組で、かつ放送時間帯が隔日ごとに同一または類似である複数の番組が選択された選択回数を計数するカウント手段となる。番組表表示装置２０は、このような各手段を個別にそれぞれ有してもよい。
【０１４１】
以上のように番組表表示装置２０によれば、複数の番組の各番組内容を主走査方向Ｈおよび副走査方向Ｖに複数配置して表形式で表示し、その番組案内の表示順序を変更することができるので、操作者の好みに応じた表示順序の番組表をディスプレイ２３に表示させることができ、利便性を向上することができる。
【０１４２】
たとえば異なる２つの番組の番組内容を比較したい場合、その２つの番組の番組内容を一画面に表示するように、番組内容の表示順序を変更することによって、２つの番組の番組内容を見比べることができる。これによって操作者は、確認したい番組の番組内容を表示するために、画面をスクロールする必要がなく、番組内容の確認を容易に行うことができる。また表示画面に複数の番組内容が表形式に表示されることによって、操作者は、時間帯ごとまたは放送局ごとに複数の番組を確認することができ、複数の番組内容を容易に把握することができる。
【０１４３】
また視聴可能な放送局の数が大きくなり、視聴可能なすべての番組を番組表として一画面に表示することができない場合であっても、操作者が確認したい時間帯および放送局の番組の番組内容を、集めて一画面に表示することができ、表示画像をスクロール表示する手間を省略することができる。
【０１４４】
また、番組データを受信することができるので、最新でかつ正確な番組データをＲＡＭ３７にストアすることができるとともに、操作者は、番組データを取得する操作を特別に行う必要がない。
【０１４５】
また選択した番組を複写して表示することによって、操作者は、複写した番組内容と、その他の番組内容とを１画面に表示して見比べることができ、表形式の順序を変更することなく番組内容を比較することができる。
【０１４６】
また上述のように番組内容の表示順序を変更したうえで、表示画面でカーソル４９を移動させて番組を選択することができるので、操作者は、確認したい複数の番組内容を一画面に表示させて、複数の番組を見比べて番組を選択することができる。これによって番組選択ごとに、画面スクロールを行う必要がなく、また番組の選択ミスを減らすことができる。
【０１４７】
また選択した番組が放送される時間帯に、ＣＰＵ３５が選択番組到達信号に応じて受信手段２６およびディスプレイ２３を動作させることによって、選択した番組を録画および表示させることができる。選択した番組を追加して表示することによって、操作者は、既に選択されている番組をひと目で把握することができる。また選択操作においても、すでに選択された番組の番組内容が表示されているので、同一時間帯に放送される２つの番組を２重に選択することを防止することができる。また選択される番組の表示内容を表示する表示領域５８と、選択されていない番組の番組内容を表示する表示領域５９とは、異なる表示態様で表示するので、操作者は、選択される番組を一見して見分けることができる。
【０１４８】
さらにＣＰＵ３５が、次に選択されるであろう番組を推定して選択するので、操作者が選択し忘れた番組を選択することができる。これによって連続ドラマなどの毎週連続して放送される番組を確実に選択することができる。また操作者が選択した番組の番組内容を表示する表示領域５８と、番組表示装置が推定して選択した番組の番組内容を表示する表示領域６４とを異なる表示態様で表示するので、番組表示装置が推定して選択した番組が、選択したい番組かどうかを容易に確認することができる。
【０１４９】
このような番組表表示装置２０は、たとえば車載用として用いられてもよい。車載用に用いられる場合、ディスプレイ２３の表示画面４３が小さくても、操作者が表示順序を変更することによって、確認したい番組の番組内容を表形式で表示することができ、番組内容が不鮮明になることを防止することができ、またスクロール表示を必要とせず、操作者に番組内容を確実に把握させることができる。
【０１５０】
図２０は、他の表示例を示す表形式の一部を示す図である。選択した番組を表わす番組内容表示領域の表示態様を変化させるだけでもよい。また表示態様は、番組内容表示領域の表示色を変更させるだけでなく、番組内容表示領域に選択されていることを示す記号６６，６７を設けてもよい。このように記号を設けることによっても、操作者に選択されている番組とそうでない番組を短時間で把握させることができる。
【０１５１】
また上述する記号は、操作者が選択した番組を表示する番組内容表示領域に表示する記号６６とＣＰＵ３５が選択した番組を表示する番組内容表示領域に表示する記号６７とで異なる記号を設けてもよい。また番組が選択される時間帯の表示様態を変化してもよい。これによって操作者が選択した番組かＣＰＵ３５が選択した番組かを、操作者は容易に判断することができる。
【０１５２】
また上述する実施の形態は、発明の例示に過ぎず発明の範囲内において構成を変更することができる。たとえば、番組表表示手段２０は、コンパクトディスク（Ｃｏｍｐａｃｔ　Ｄｉｓｃ、略称　ＣＤ）などの番組表表示装置２０から取り出し可能な記録媒体に記憶される番組データを読取るための記録媒体読取手段４０を有してもよく、番組データを受信手段２６から取得するほかに、番組データが記憶される記憶媒体から番組データを読取ってもよい。また通信用モデム３９を介して、インターネットなどの電話通信回線に接続されるネットワークにアクセスして番組データを読取ってもよく、番組データを取得する取得手段を有すればよい。
【０１５３】
また番組表として、番組内容が放送局ごとに主走査方向Ｈに並び、時間帯ごとに副走査方向Ｖに並んで表示されるとしたが、縦横が逆に並んでもよい。また予め定められる番組内容の表示順序は、デフォルトとして設定されているほか、操作者が番組内容の表示順序を変更した変更表示順を、ＣＰＵ３５がＲＯＭ３７に記憶させて、この表示順序を予め定められる番組内容の表示順序としてもよい。
【０１５４】
また操作者は、表示画面に応じて番組を選択でき、ディスプレイ２３に近接して設けられるカーソル移動キー４８のほか、リモコンに設けられるスイッチ２５ａを用いてもよい。また各種表示順序変更パターンを指定するスイッチ５８〜６１がなくてもよく、メニュー画面を表示してメニュー画面に基づいて、カーソル移動キー４８で表示順序の変更パターンを設定してもよい。
【０１５５】
【発明の効果】
請求項１記載の本発明によれば、複数の番組の番組内容を表形式で表示し、番組内容を表示する表示順序を操作者の好みに応じて変更することができる。したがって操作者は、確認したい番組内容を、確認したい放送局ごと、確認したい時間帯ごとに番組内容をまとめて一画面に表示することができる。これによって操作者は、確認したい番組の番組内容を表示するために、画面をスクロールする必要がなく、番組内容の確認を容易に行うことができる。また表示画面に複数の番組内容が表形式に表示されることによって、操作者は、時間帯ごとまたは放送局ごとに複数の番組を確認することができ、複数の番組内容を一画面で確認することができる。
【０１５６】
また請求項２記載の本発明によれば、最新の番組データをメモリにストアすることができるので、操作者は、最新の番組内容を知ることができ、表示画面に表示される番組内容とは異なった番組内容の番組が放送されることを防止することができる。また番組データが記憶される記憶媒体を必要としないので、操作者が、番組データが記憶される記憶媒体を随時入手する必要がなく、利便性を向上することができる。
【０１５７】
また請求項３記載の本発明によれば、時間帯毎に並んで表示される番組内容の順序を変更することができるので、利便性を向上することができる。たとえば操作者が視聴したい時間帯の番組の番組内容を表示画面の見やすい位置にまとめて表示することができる。操作者が、確認したい番組内容を集めて表示画面に表示させることによって、番組表表示装置は、表示画面が小さい場合であっても、操作者が確認したい番組内容を確実に表示することができる。また番組内容を見やすくさせることができる。
【０１５８】
また請求項４記載の本発明によれば、同じ放送局から放送される番組の番組内容の順序を変更することができるので、利便性を向上することができる。たとえば操作者が視聴したい放送局の番組の番組内容を表示画面の見やすい位置にまとめて表示することができる。操作者が、確認したい番組内容を集めて表示画面に表示させることによって、番組表表示装置は、表示画面が小さい場合であっても、操作者が確認したい番組内容を確実に表示することができる。また番組内容を見やすくさせることができる。
【０１５９】
また請求項５記載の本発明によれば、放送局ごとに並んで表示される番組内容の順序を変更することができるので、利便性を向上することができる。たとえば操作者が時間帯ごとに操作者が確認したい放送局の番組の番組内容を表示画面の見やすい位置にまとめて表示することができる。操作者が、確認したい番組内容を集めて表示画面に表示させることによって、番組表表示装置は、表示画面が小さい場合であっても、操作者が確認したい番組内容を確実に表示することができる。また番組内容を見やすくさせることができる。
【０１６０】
また請求項６記載の本発明によれば、複写した番組内容と表形式で表示される各番組内容とを並べて一画面に表示することができるので、操作者は、複写した番組内容と、その他の番組内容とを１画面に表示して見比べることができ、表示したい番組を容易に決定することができる。
【０１６１】
また請求項７記載の本発明によれば、操作者は、番組の内容を確認したうえでその番組を選択することができる。また上述のように表示画面には、操作者の好みに応じた順序で番組内容が表示されるので、操作者が、確認したい複数の番組内容を一画面に表示させて、複数の番組を見比べて番組を選択することができる。これによって操作者は、画面スクロールを複数回行う必要がなく、番組選択操作を容易に行うことができる。
【０１６２】
また請求項８記載の本発明によれば、操作者は、番組の内容を確認したうえでその番組を選択することができる。また操作者は、画面スクロールを複数回行う必要がなく、番組選択操作を容易に行うことができる。また番組表表示装置は、選択された番組を記録することができるので、操作者は、番組放送前に番組の記録操作を間違いなく簡単に行うことができる。
【０１６３】
また請求項９記載の本発明によれば、選択された番組の番組内容を、追加して表示することができるので、操作者は、表示画面を見ることによって、選択された番組の時間帯および放送局を確認することができる。また選択操作においても、すでに選択された番組の番組内容が表示されているので、同一時間帯に放送される２つの番組を２重に選択することを防止することができる。
【０１６４】
また請求項１０記載の本発明によれば、選択される番組の表示内容を表示する表示領域と、選択されていない番組の番組内容を表示する表示領域とは、異なる表示態様で表示するので、操作者は、選択される番組を一見して見分けることができる。これによって選択間違いおよび選択番組の確認を容易に行うことができ、利便性が向上される。
【０１６５】
また請求項１１記載の本発明によれば、番組表表示装置が次に選択されるであろう番組を推定して選択するので、操作者が選択し忘れた番組を選択することができる。これによって連続ドラマなどの毎週連続して放送される番組を確実に選択することができる。
【０１６６】
また請求項１２の本発明によれば、操作者が選択した番組の番組内容を表示する表示領域と、番組表示装置が推定して選択した番組の番組内容を表示する表示領域とを異なる表示態様で表示する。これによって操作者は、操作者が選択した番組と番組表表示装置が選択した番組とを表示画面から確認することができる。たとえば、番組表示装置が推定して選択した番組が、選択したい番組かどうかを容易に確認することができ、番組表示装置が推定した番組を選択したくない場合、その番組表示装置が推定した番組の選択を解除することができる。
【図面の簡単な説明】
【図１】本発明の実施の一形態である番組表表示装置２０を示すブロック図である。
【図２】ディスプレイ２３を示す正面図である。
【図３】時間帯ごとに並ぶ番組内容の表示順序を変更する手順を示す図である。
【図４】時間帯ごとに並ぶ番組内容の表示順序を変更する場合のＣＰＵ３５の動作を示すフローチャートである。
【図５】放送局ごとに並ぶ番組内容の表示順序を変更する手順を示す図である。
【図６】放送局ごとに並ぶ番組内容の表示順序を変更する場合のＣＰＵ３５の動作を示すフローチャートである。
【図７】放送局の並ぶ順序を変更する手順を示す図である。
【図８】放送局の並ぶ順序を変更する場合のＣＰＵ３５の動作を示すフローチャートである。
【図９】番組内容の放送局の並ぶ順を変更した状態で、さらに時間帯ごとに並ぶ順序を変更する手順を示す図である。
【図１０】番組内容を複写して表形式に追加して表示する手順を示す図である。
【図１１】番組内容を複写して表形式に追加して表示する場合のＣＰＵ３５の動作を示すフローチャートである。
【図１２】ＣＰＵ３５の番組表の順序を変更する動作を示すフローチャートである。
【図１３】選択された番組を記憶するＣＰＵ３５の動作を示すフローチャートである。
【図１４】選択された番組を録画するＣＰＵ３５の動作を示すフローチャートである。
【図１５】ＲＡＭ３７に選択番組が記憶されている状態で表示される表形式の一部を示す図である。
【図１６】図１５に示す状態から画像をスクロール表示させた場合の表形式の一部を示す図である。
【図１７】展開処理用ＶＲＡＭ５６に記憶される画像データによって表わされる画像を示す図である。
【図１８】選択履歴に基づいて、ＣＰＵ３５が選択番組を選択する動作を示すフローチャートである。
【図１９】選択番組を集めた番組表を示す図である。
【図２０】他の表示例を示す表形式の一部を示す図である。
【図２１】デジタル放送される放送波を示す図である。
【図２２】各番組データ３に含まれるデータ構造を示す図である。
【図２３】従来の番組表表示装置によって表示される番組表７を示す図である。
【符号の説明】
２０　番組表表示装置
２２　表示制御装置
２３　ディスプレイ
２５ａ，２５ｂ　スイッチ
２６　受信手段
２７　制御手段
２８　入力手段
３４　提示処理部
３５　ＣＰＵ
３６　ＲＯＭ
３７　ＲＡＭ
３８　表示用ＶＲＡＭ
５６　展開用処理用ＲＡＭ
４３　表示画面
４４，５１，５３，５４，５５　番組内容表示領域
４５　放送局表示領域
４６　時間帯表示領域
【図１】
2004023636.tif 000003
【図２】
2004023636.tif 000004
【図３】
2004023636.tif 000005
【図４】
2004023636.tif 000006
【図５】
2004023636.tif 000007
【図６】
2004023636.tif 000008
【図７】
2004023636.tif 000009
【図８】
2004023636.tif 000010
【図９】
2004023636.tif 000011
【図１０】
2004023636.tif 000012
【図１１】
2004023636.tif 000013
【図１２】
2004023636.tif 000014
【図１３】
2004023636.tif 000015
【図１４】
2004023636.tif 000016
【図１５】
2004023636.tif 000017
【図１６】
2004023636.tif 000018
【図１７】
2004023636.tif 000019
【図１８】
2004023636.tif 000020
【図１９】
2004023636.tif 000021
【図２０】
2004023636.tif 000022
【図２１】
2004023636.tif 000023
【図２２】
2004023636.tif 000024
【図２３】
2004023636.tif 000025